(57)【要約】【課題】誰でもひとりで、かつ、着物を着るための小物を必要とせずに、自分の体に合うように、短時間に着装することができ、また、動いても着崩れない着物を提供する。【解決手段】着物本体１と帯５５からなり、着物本体１は、後身頃１０に縦方向にスリット状の開口部１２を設け、衿１５は該開口部１２で左右に分かれ、前身頃１３の胸位置を重ね留めし、脇にゴムの縫い留め部分２５を設け、該胸位置に帯５５を固定する付着部２４を設ける。【選択図】図８
2015218396.tif 000002
【特許請求の範囲】
【請求項１】
着物本体と帯からなり、着物本体は、後身頃に縦方向にスリット状の開口部を設け、衿は該開口部で左右に分かれ、前身頃の胸位置を重ね留めし、脇にゴムの縫い留め部分を設け、該胸位置に帯を固定する付着部を設けたことを特徴とする着物。
【請求項２】
後身頃は、開口部にファスナーを取付け、該ファスナーに、持ち出しを設け、衿は、複数の衿を重ねて設け、該持ち出しの上部を衿に重ねる請求項１記載の着物。
【請求項３】
帯は、帯本体とお太鼓からなり、帯本体は、着物本体に固定するための付着部を設け、帯締め、帯揚げ、しごき、おはしょりを設け、お太鼓は、はね、山、たれを設け、帯への装着部を設けた請求項１または請求項２記載の着物。
【発明の詳細な説明】
【技術分野】
【０００１】
本発明は、着物に関するものである。
【背景技術】
【０００２】
着物は、パーティや行事に身に着けると大変格式も高く、見栄えのする美しい装いである。そのため、着用したいという需要が高まる中、着物を着るためには複数の紐やタオル等の数々の小物を使用し、自分の体に合うように着付けをすることが必要である。
【０００３】
しかし、普段着慣れていないために自分では着付けることができず、わざわざ専門家に頼んで着付けてもらうという手間がかかり、さらに着付けを習得するためには、時間的・経済的な問題がある。
【０００４】
さらに、着付けてもらっても、普段から着慣れていないために、動きにくく、着崩れてきた場合、自分で直すことができないという問題がある。
【０００５】
下記特許文献１は、一人で短時間に着装できる着物を開示するもので、図２２に示すように、着物本体７１の衿部７２には、衿布７３の略中央部が着物本体７１の衿部７２よりわずかに上方に突出して付着し、その左右７４ａ、７４ｂは自由に解放して下方に垂下し、この衿布７３の衿部７２への付着を、面ファスナーを用いて着脱自在に行う。
【０００６】
次に、着物本体７１の胴部周りには、図２２、図２３に示すように、背面部があらかじめお太鼓７５等の形に形成された帯７６が、帯７６の内側の複数個所に設けた面ファスナー７７と、着物本体７１の胴部周りに設けた複数の面ファスナー（図示せず）により、着脱自在に付着しており、該帯７６の右側前面部は、右側衿線７８から着物着装時に左側脇線７９と重なり合うよう突出した右側突出部８０を設け、帯７６の左側前面部も同様に、左側突出部８１を設けた。
【０００７】
そして、帯７６の右側突出部８０の左側脇線部７９との付着は、第右側突出部８０の内側に設けられた面ファスナー８２と帯７６の左側脇線位置付近の外側に設けた面ファスナー８３との結合により行い、帯７６の左側突出部８１と右側脇線部との付着は、左側突出部８１の外側に設けた面ファスナー８４と着物本体７１の右側脇線位置付近の内側に設けた面ファスナー（図示せず）との結合に行う。
【０００８】
さらに、着物本体７１の着丈を被着者の身長と合わせるため、おはしょり部８５の長さを調整し、着丈が調整された位置でおはしょり部８５を面ファスナー８６により着物本体７１に付着し、その位置を固定する。
【０００９】
帯７６は、右側突出部８０を外側に、左側突出部８１を内側にくるように重ね合わせながら、帯７６の左側突出部８１を着物本体７１の右側脇線部位置付近の内側に設けた面ファスナー（図示せず）に付着し、同時に帯７６の右側突出部８０を面ファスナー８２，８３を用いて付着する。
【００１０】
その後、帯揚げ、帯締めを帯７６上で結んで、着装を完了する。面ファスナーを用いて衿布，おはしょり部，帯等をそれぞれ着脱自在に構成する部分は、予めすべて縫い付けて固定することもできる着物である。
【先行技術文献】
【特許文献】
【００１１】
【特許文献１】特開平１−３１４７０７号公報（着物）
【発明の概要】
【発明が解決しようとする課題】
【００１２】
前記特許文献記載の着物は、一人で着装できる着物ではあるが、衿の合わせの位置やおはしょりの長さを着装する者の身体に合わせる必要があるため慣れが必要であり、着物を着慣れない者は手間取るため短時間での着装は困難であり、また、着装できたとしても、このように体に合わせた部分や全体が着崩れる可能性がある。
【００１３】
本発明の目的は前記従来例の不都合を解消し、誰でもひとりで、かつ、着物を着るための小物を必要とせずに、自分の体に合うように、短時間に着装することができ、また、動いても着崩れない着物を提供することにある。
【課題を解決するための手段】
【００１４】
前記目的を達成するため請求項１記載の本発明は、着物本体と帯からなり、着物本体は、後身頃に縦方向にスリット状の開口部を設け、衿は該開口部で左右に分かれ、前身頃の胸位置を重ね留めし、脇にゴムの縫い留め部分を設け、該胸位置に帯を固定する付着部を設けた着物を要旨とするものである。
【００１５】
請求項１記載の本発明によれば、後身頃に開口部を設け、衿は、該開口部で左右に分かれ、前身頃の胸位置を重ね留めた部分を設けており、着物本体が開口部を有する筒状のワンピースのような形状となっているため、着物本体をかぶる又は開口部からはくことにより着装できる。
【００１６】
このため、開口部正面中央で前身頃を重ね、おはしょりを取り、紐等小物を複数用いて身体に合わせながら着装しなければならない通常の着物本体に比べ、簡単に短時間に着装できる。また、脇にゴムの縫い留め部分を設けているため、脇の伸縮性があることにより、足からはいても、頭からかぶっても、抵抗なく着用することができる。さらに、胸位置に帯を固定する付着部を設けているため、帯を簡単に着物本体に付着することができるため、着物を簡単に短時間に着装することができる。そして、ワンピースのような形状のため、形が変わらず、着崩れることもない。
【００１７】
請求項２記載の本発明は、後身頃は、開口部にファスナーを取付け、該ファスナーに、持ち出しを設け、衿は、複数の衿を重ねて設け、該持ち出しの上部を衿に重ねることを要旨とするものである。
【００１８】
請求項２記載の本発明によれば、開口部をファスナーで開閉することにより、ワンタッチで開閉することができる。
【００１９】
また、ファスナーの後に持ち出しを付けることにより、ファスナーが直接体に触れず、ファスナーの金具等が皮膚に直接あたり皮膚を傷めることがなくなり、さらに、ファスナーが下着等を噛むことなく開閉が容易となる。
【００２０】
そして、持ち出しの上部を衿に重ねたことにより、開口部で左右に分かれた衿の状態を隠すことができ、また、ファスナーの金具等が見えなくなり、後姿の美しい着物となる。該ファスナーは、面ファスナー等開閉自在な他の部材でもよい。
【００２１】
請求項３記載の本発明は、帯は、帯本体とお太鼓からなり、帯本体は、着物本体に固定するための付着部を設け、帯締め、帯揚げ、しごき、おはしょりを設け、お太鼓は、はね、山、たれを設け、帯への装着部を設けたことを要旨とするものである。
【００２２】
請求項３記載の本発明によれば、着物本体を身に付けた後、帯枕、タオル、クリップ等小物を使用して帯を体に合わせながら、帯締め、帯揚げも用いてお太鼓等を形作り帯を結び、しごきを結ぶという工程を取らずに、帯締め、帯揚げ、しごき、おはしょりを設けた帯本体にお太鼓を固定した帯を、着物本体の上に巻き付けることにより、ワンタッチで帯を着装することができる。また、帯本体は、おはしょりを設けているため、着物本体におはしょりをしなくてよい。
【００２３】
以上述べたように本発明の着物は、誰でもひとりで、着物を着るための小物を必要とせず洋服を着るように、着物本体と、帯本体とお太鼓からなる帯を、簡単に、短時間で、自分の身体に合うように着装できるものであり、かつ、動いても着崩れないものである。
【図面の簡単な説明】
【００２４】
【図１】本発明の着物の１実施形態を示す正面図である。
【図２】本発明の着物の１実施形態を示す背面図である。
【図３】本発明の着物本体の袖の仕立て方を示す平面図である。
【図４】本発明の着物本体の仕立て方を示す平面図である。
【図５】本発明の着物本体の衿の仕立て方を示す部分平面図である。
【図６】本発明の着物本体の袖、前身頃、衽、衿の仕立て方を示す部分平面図である。
【図７】本発明の着物本体の裾の仕立て方を示す部分平面図である。
【図８】本発明の着物本体の仕立て方を示す平面図である。
【図９】本発明の着物本体の仕立て方を示す背面図である。
【図１０】本発明の着物本体の衿、持ち出しの仕立て方を示す部分平面図である。
【図１１】本発明の着物の帯本体の仕立て方を示す正面図である。
【図１２】本発明の着物の帯本体の仕立て方を示す背面図である。
【図１３】本発明の着物の帯本体の１実施形態を示す正  面図である。
【図１４】本発明の着物の帯のお太鼓のはねの仕立て方を示す正面図である。
【図１５】本発明の着物の帯のお太鼓のはねを示す正面図である。
【図１６】本発明の着物の帯のお太鼓の仕立て方を示す説明図である。
【図１７】本発明の着物の帯のお太鼓の仕立て方を示す説明図である。
【図１８】本発明の着物の帯のお太鼓の仕立て方を示す説明図である。
【図１９】本発明の着物の帯のお太鼓の１実施形態を示す背面図である。
【図２０】本発明の着物の帯のお太鼓の１実施形態を示す正面図である。
【図２１】本発明の着物の帯の１実施形態を示す正面図である。
【図２２】従来例を示す着物本体の正面図である。
【図２３】従来例を示す帯の斜視図である。
【発明を実施するための形態】
【００２５】
以下図面について本発明の着物の実施の形態を詳細に説明する。本発明はこれに限定されたものでないことは、言うまでもない。
【００２６】
図１は本発明の着物本体１（正面）と帯本体３０を示し、図２は、着物本体１（背面）とお太鼓４０を示すもので、本発明の着物６０は、着物本体１と帯５５からなり、さらに、帯５５は、帯本体３０とお太鼓４０からなる。
【００２７】
着物本体１は、図３、図４に示すように、袖５、後身頃１０、前身頃１３、衽１４、衿１５からなる。
【００２８】
後身頃１０の中央縦方向にスリット状の開口部１２を、その上端は衿１５の上縁に達するように、下端は上から半分以上に達するように設けた。
【００２９】
衿１５は、図５に示すように、開口部１２で左右に分かれる。衿１５に、重ね衿１６、伊達衿１７等、複数の衿を重ねても良い。
【００３０】
後身頃１０と前身頃１３とは、図６に示すように、脇２１で重ね合わせて縫い合わせ、袖５は、袖口６の下部分を重ねて縫い合わせ、裾２２は、図７に示すように見返し２を設ける。
【００３１】
着物本体１の正面は、図８に示すように前身頃１３の衿１５が、着装する者の身体の胸元で重なるように重ねて固定した重ね留め部分２３を設け、脇は前身頃１３から後身頃１０に続く生地が縫い縮められた状態のゴムの縫い留め部分２５を設ける。
【００３２】
着物本体１の背面は、図９に示すように後身頃１０の後中心１１のスリット状の開口部１２にファスナー１２ａとその後部に接するように持ち出し２６を配し、脇２１には、前記着物本体１と同様に前身頃１３から後身頃１０に続く生地が縫い縮められた状態のゴムの縫い留め部分２５を設ける。さらに図１０に示す通り、衿１５上部の持ち出し２６は衿１５の左右の間と開口部１２を覆うように重ねられている。
【００３３】
次に、帯本体３０正面は、図１３に示すように、帯本体表側布３１の表面に、結わいて形を整えた帯締め３２、面ファスナー２４ａを配し、その上部に形を整え結わえた帯揚げ３３、その下部にバランス良くしごき３４、おはしょり３５を配する。帯本体の背面は、図１２に示すように、帯本体裏側布３６の中央部に上下２本と左側に縦２本の面ファスナー２４ａを配する。そして、帯本体３０の内部には、全面にスポンジ芯３９を配する。
【００３４】
次に、お太鼓４０正面は、図２０に示すように、はね４１と山５３とたれ４９、花飾り５４からなり、山５３の裏面は、図１９に示すように、山５３の裏面に略正方形状の装着部５１を配する。
【００３５】
帯５５は、図２１に示すように、帯本体３０のおはしょり３５としごき３４の配されていない部分に、お太鼓４０の山５３の背面に設ける装着部５１を通し、一体となる。
【００３６】
ここで、開口部１２に用いる衣類用のファスナーとは、留め具のうち何度でも自在に開け閉めできるものであり、構造的には、いわゆるスナップとよばれる接合する部分が機械仕掛けになっており伸び縮みすることによって開け嵌めできる「点ファスナー」と、いわゆるファスナー、ジツパー、チャックとよばれる線上に並んだ務歯が噛み合うことで両側を固定する「線ファスナー」と、マジックテープ（登録商標）とよばれるフック状に起毛された側とループ状に密集して起毛された側とを押し付けることで貼り付きまた剥がすることが自在にできる「面ファスナー」がある。
【００３７】
点ファスナーであるスナップは、部分的に開閉可能にしたい部分、本発明においてスナップ２７は、持ち出し２６の上部の内側と、その部分が重なる衿１５の重なり部分の下部に付けることにより、該持ち出し２６の部分のみの開閉を容易にすることができる。
【００３８】
また、線ファスナーであるファスナーは、開閉部分を目で確認せずともスライダーに付いた引き手を摘んで開閉することができるため、本発明においてファスナー１２ａにより、着物本体１の背面の後身頃１０の後中心１１の開口部１２を、容易に開閉することができる。
【００３９】
さらに、面ファスナーは、長さを自由にカットして、開閉する場所や長さを自由に設定できるため、本発明において面ファスナー２４ａにより、着物本体１と帯５５を着脱可能にすることができる。
【００４０】
次に、縫製方法及び着装方法について説明する。
【００４１】
まず、着物本体１の縫製方法及び着装方法について説明する。
【００４２】
（１）図３に示すように、袖５の裏面の袖口６及び袖付け下７に、裁ち目４にロックミシンをかけた（ロック始末した）見返し２を縫い付け、該見返し２を表に０．３ｃｍ出してコバステッチ３をかける。
【００４３】
（２）図４に示すように、前身頃１３から後身頃１０の肩にかけて肩上げ８をする。肩上げは、大人用の着物の場合は、通常しない。
【００４４】
（３）後身頃１０の後中心１１の開口部１２にファスナー１２ａを付ける。この場合、ファスナー１２ａにはコンシールファスナーを用いると、付けやすく、かつ、着心地がしなやかでよい。
【００４５】
（４）前身頃１３に衽１４を付け、前身頃１３側に折る。
【００４６】
（５）衽１４の端に、ロック始末した見返し２を縫い付け、該見返し２を表に０．５ｃｍ出してコバステッチ３をかける。
【００４７】
（６）図４及び５に示すように、衿１５に重ね衿１６を０．３ｃｍ出し、その内側に伊達衿１７を後中心１１で０．３ｃｍ、衿先１８で０．７ｃｍ出し、その間は自然に整え、落としミシン１９をかける。衿１５の内側（裏面）は、伊達衿１７と同じとなる。
【００４８】
（７）図４に示すように、袖５を袖付け部２０につける。縫い代は、前身頃１３及び後身頃１０側に折ってアイロンをかける。
【００４９】
（８）図６に示すように、脇２１と袖口６の下部分を縫い、ロック始末する。
【００５０】
（９）図７に示すように、裾２２に、ロック始末した見返し２を縫い付け、該見返し２を表に０．５ｃｍ出してコバステッチ３をかける。該見返し２の端を衽１４、前身頃１３及び後身頃１０にまつる。
【００５１】
（１０）図８に示すように、衿１５を合わせて、胸の部分に上下横に２本の縫い目で重ね留め部分２３を作る。これにより、前身頃１３が固定される。さらに、該２本の縫い目で重ね留め部分２３の左右縦に面ファスナー２４ａを縫い付ける。本実施例では以降においても付着部２４の固定方法として面ファスナー２４ａを使用したが、その他の方法、例えば、スナップ等を使用しても良い。
【００５２】
（１１）図８及び図９に示すように、前後の脇２１の裏面にゴムを引き延ばしながら縫い、ゴムの縫い留め部分２５を設ける。該ゴムは、一例として、平ゴムで、１本約１５ｃｍのものを３本使用したが、他の形状のゴムでもよく、本数も複数本あっても良い。
【００５３】
（１２）次に図９に示すように、開口部１２のファスナー１２ａを開き、左後ろ部分に持ち出し２６を縫い付ける。該持ち出し２６の上部とファスナー１２ａの右上部の衿１５が重なるように、それぞれに面ファスナー２４ａを縫い付ける。
【００５４】
（１３）持ち出し２６上部とそれを折り返したときに接する部分にそれぞれスナップ２７を付ける。
【００５５】
（１４）衿１５の面ファスナー２４ａを重ねて留めた後、図１０に示すように、持ち出し２６を折り返してスナップ２７で留める。
【００５６】
これで着物本体１が完成する。
【００５７】
（１）、（４）、（５）、（８）、（９）により、見返し２を付け、コバステッチ３をかけ、ロック始末した個所の、伸び縮みやゆがみ、変形を防ぐことができ、見た目を美しくすることができ、着崩れない。さらに、裁ち目４の糸をほつれにくくすることができ、見返し２を表に程良く見せることで着物６０全体や着姿が美しく見える。
【００５８】
（２）により、裄９の長さを調整し着物本体１を着る者の腕の長さに合わせることができ、着物本体１を体にフィットさせることができる。また、（３）により着物本体１の脱ぎ着が容易になる。
【００５９】
（３）（１０）により、着物本体１が開口部１２を有する筒状のワンピースのような形状となるため、着物本体１をかぶる又は開口部１２からはくことにより着装できる。このため、開口部正面中央で前身頃を重ね、おはしょりを取り、紐等小物を複数用いて身体に合わせながら着装しなければならない通常の着物本体に比べ、ワンアクションで洋服のように簡単に短時間で着装することができる。
【００６０】
（６）により、衿１５等の美しい重なりを表現でき、また、落としミシン１９により、重ねた衿が固定され、衿１５の表側も、内側も美しく整い、着崩れない。
【００６１】
（１０）、（１１）により、帯本体３０に着けた面ファスナー２４ａを合わせることにより、着物本体１と帯本体３０を固定することができ、ゴムの縫い留め部分２５が縮むことにより着物本体１身体にフィットする。
【００６２】
（１２）、（１３）、（１４）により、ファスナー１２ａが直接体に触れず、ファスナー１２ａの金具等が皮膚に直接あたり皮膚を傷めることがなくなり、さらに、ファスナー１２ａが下着等を噛むことがなく、ファスナー１２ａの開閉が容易となる。そして、持ち出し２６の上部を衿１５に重ねたことにより、開口部１２で左右に分かれた衿１５の状態を隠すことができ、また、ファスナー１２ａの金具等が見えなくなり、後姿の美しい着物６０となる。
【００６３】
次に、帯本体１及びお太鼓４０の縫製方法及びその組み合わせである帯５５の着装方法について説明する。
【００６４】
（１）、帯本体１は、図１１に示すように、帯本体表側布３１の表面に、結わいて形を整えた帯締め３２の両端と中央部を縫い留め、形を整えた帯揚げ３３、しごき３４、おはしょり３５を、内側に置く。
【００６５】
（２）図１２に示すように、帯本体裏側布３６の表側に面ファスナー２４ａを縫い付ける。そして、該表側布３１と該裏側布３６を中表にして返し口３７を残して、縫い位置３８で縫い合わせ、帯全面に合う大きさのスポンジ芯３９を重ねて表に返す。
【００６６】
（３）図１３に示すように、帯締め３２、帯揚げ３３、しごき３４、おはしょり３５を整え、返し口３７を縫い、これで帯本体１が完成する。
【００６７】
次に、（４）お太鼓４０は、図１４及び図１５に示すように、まず、はね４１をつくる。はね表側布４２とはね裏側布４３を中表にして丸みの部分を縫い合わせた後、返し、中に中綿４４を入れ、はね４１に立体感が出るようにタック４５を取る。
【００６８】
（５）次に図１６に示すように、山表側布４６の折り返し部分４７を折り返し辺４８で折り返してたれ４９を作る。
【００６９】
（６）さらに図１７に示すように、山裏側布５０に帯本体３０への装着部５１の布の上辺を縫い付ける。
【００７０】
（７）そして、図１８に示すように、該山表側布４６と該山裏側布５０を中表に合わせ、折り返し辺４８以外の周囲を縫い合わせる。
【００７１】
（８）図１９に示すように表に反して、中綿４４を山５３及びたれ４９の全面に入れた後、中綿入れ口５２を縫い、山５３とたれ４９に立体感を出すために、その両端を後ろ側に２．０ｃｍ折ってかがる。図２０に示すように、山５３の上部に花飾り５４を付け、これでお太鼓４０が完成する。なお、前記たれ４９は、山５３とは別体として製作し、当該山５３に装着するようにしても良い。
【００７２】
次に、（９）帯５５は、図２１に示すように、帯本体３０をお太鼓４０の装着部５１に通して、帯５５が完成する。
【００７３】
（１）から（９）により、着物本体を身に付けた後、帯枕、タオル、クリップ等小物を使用して帯を体に合わせながら、帯締め、帯揚げも用いてお太鼓等を形作って帯を結び、しごきを結ぶという工程を取らずに、帯締め３２、帯揚げ３３、しごき３４、おはしょり３５を設けた帯本体３０にお太鼓４０を装着した帯５５を、着物本体１の上に巻き付け、面ファスナー２４ａを圧着することにより、ワンタッチで帯を着装することができる。また、帯本体３０は、おはしょり３５を設けているため、着物本体１におはしょりをしなくてよい。これらにより、簡単に着装でき、着崩れない。
【００７４】
さらに、着物６０の着装方法について説明する。
【００７５】
上記、図７に示す着物本体１を着て、図２１の帯５５の裏側の面ファスナー２４ａと、着物本体１の胸の部分の面ファスナー２４ａを合わせて留めた後、帯５５を体に沿わせて巻き、面ファスナー２４ａで留めることにより、図１および図２に示す本発明の着物６０を着ることができる。
【００７６】
上記のとおり、本発明の着物６０は、誰でもひとりで、着物を着るための小物を必要とせず洋服を着るように、着物本体１と、帯本体３０とお太鼓４０からなる帯５５を、簡単に、短時間で、自分の身体に合うように着装できるものであり、かつ、動いても着崩れないものである。
【産業上の利用可能性】
【００７７】
本発明の着物は、着物本体と、帯本体とお太鼓からなる帯からなり、それぞれのパーツごとにアレンジをして楽しむことができる。そして、大人も子供も、まだ歩けない赤ちゃんでも、簡単に、短時間で、それぞれの身体に合うように着装できる、動いても着崩れないものである。
【符号の説明】
【００７８】
１：着物本体
２：見返し
３：コバステッチ
４：裁ち目
５：袖
６：袖口
７：袖付け下
８：肩上げ
９：裄
１０：後身頃
１１：後中心
１２：開口部
１２ａ：ファスナー
１３：前身頃
１４：衽
１５：衿
１６：重ね衿
１７：伊達衿
１８：衿先
１９：落としミシン
２０：袖付け部
２１：脇
２２：裾
２３：重ね留め部分
２４：付着部
２４ａ：面ファスナー
２５：ゴムの縫い留め部分
２６：持ち出し
２７：スナップ
３０：帯本体
３１：帯本体表側布
３２：帯締め
３３：帯揚げ
３４：しごき
３５：おはしょり
３６：帯本体裏側布
３７：返し口
３８：縫い位置
３９：スポンジ芯
４０：お太鼓
４１：はね
４２：はね表側布
４３：はね裏側布
４４：中綿
４５：タック
４６：山表側布
４７：折り返し部分
４８：折り返し辺
４９：たれ
５０：山裏側布
５１：装着部
５２：中綿入れ口
５３：山
５４：花飾り
５５：帯
６０：着物
７１：着物本体
７２：衿部
７３：衿布
７４ａ：衿布左
７４ｂ：衿布右
７５：お太鼓
７６：帯
７７、８２、８３、８４、８６：面ファスナー
７８：右側衿線
７９：左側脇線
８０：右側突出部
８１：左側突出部
８５：おはしょり部
【図１】
2015218396.tif 000003
【図２】
2015218396.tif 000004
【図３】
2015218396.tif 000005
【図４】
2015218396.tif 000006
【図５】
2015218396.tif 000007
【図６】
2015218396.tif 000008
【図７】
2015218396.tif 000009
【図８】
2015218396.tif 000010
【図９】
2015218396.tif 000011
【図１０】
2015218396.tif 000012
【図１１】
2015218396.tif 000013
【図１２】
2015218396.tif 000014
【図１３】
2015218396.tif 000015
【図１４】
2015218396.tif 000016
【図１５】
2015218396.tif 000017
【図１６】
2015218396.tif 000018
【図１７】
2015218396.tif 000019
【図１８】
2015218396.tif 000020
【図１９】
2015218396.tif 000021
【図２０】
2015218396.tif 000022
【図２１】
2015218396.tif 000023
【図２２】
2015218396.tif 000024
【図２３】
2015218396.tif 000025